(57)【要約】【課題】  いずれの部品が劣化しても新しい部品と交換ができ、室内において使いやすい物干し具を提供する。【解決手段】  吊下げフックの下端部に設けたリングと、リングの中を通してのびる複数の吊下げワイヤーと、吊下げワイヤーの端が連結され、線材から形成されたフレームと、フレームの両端を取外し自在に連結する連結チューブと、フレームに吊下された多数のピンチと、フレームが挿通され、ピンチの間隔を保持するスペーサとを有する。【選択図】図１
0003129719.tif 000002
【実用新案登録請求の範囲】
【請求項１】
吊下げフックの下端部に設けたリングと、リングの中を通してのびる複数の吊下げワイヤーと、吊下げワイヤーの端が連結され、線材から形成されたフレームと、フレームの両端を取外し自在に連結する連結チューブと、フレームに吊下された多数のピンチと、フレームが挿通され、ピンチの間隔を保持するスペーサとを有してなる物干し具。
【請求項２】
スペーサがプラスチックチューブである請求項１記載の物干し具。
【請求項３】
吊下げワイヤーがボールチェーンであり、リングが平板状である請求項１又は２記載の物干し具。
【請求項４】
連結チューブを挟んでストッパーをフレームに取付けたことを特徴とする請求項１〜３記載の物干し具。
【考案の詳細な説明】
【技術分野】
【０００１】  本考案は、劣化した部品の交換ができる室内用物干し具に関する。
【背景技術】
【０００２】  従来、劣化した部品の交換が出来る物干し具として、フレームに装着された樹脂成形品からなるピンチ取付用部材に係着したナスカン、あるいは樹脂成形品フックを介してピンチが吊下されるもので、ナスカン、あるいはフックから自在にはずして劣化したピンチの交換ができるものが提供されている。
また、吊下げ具に吊下げ紐を挿通させる係止孔を設けて、吊下げ紐における位置を変換可能にし、壁際等に正常姿勢を保持できるようにした物干し具も提供されている。【０００３】  しかしながら、ピンチの交換は自在に出来るものの、劣化はピンチ以外の部材にも起こり、さらに一様に劣化するのではないため、使用に耐える部分を残しながら廃棄せざるを得ないという問題があった。
また、吊下げ具に吊下げ紐を挿通させる係止孔を設けて、吊下げ紐における位置を変換可能にし、壁際等に正常姿勢を保持できるようにした物干し具は、ベランダの立ち上がり壁や手摺りの内側では便利に使用できるものの室内での壁面吊下は枠状態の端部の壁面への当接が大きく、部屋中央に突き出た形での吊下となり、人の動きを妨げたり、吊下げ紐の不安定さを感じるなどの問題もあった。
【特許文献１】  特開  ２００３−２３６２９７号公報
【特許文献２】  特開  ２００５−３４３３８号公報
【特許文献３】  特開  ２００２−３３１１９９号公報
【考案の開示】
【考案が解決しようとする課題】
【０００４】  本考案は、上記の問題を解消するためになされたものであり、いずれの部品が劣化しても新しい部品と交換ができ、室内において使いやすい物干し具を提供することを目的としている。
【課題を解決するための手段】
【０００５】  本考案の物干し具は、吊下げフックの下端部に設けたリングと、リングの中を通してのびる複数の吊下げワイヤーと、吊下げワイヤーの端が連結され、線材から形成されたフレームと、フレームの両端を取外し自在に連結する連結チューブと、フレームに吊下された多数のピンチと、フレームが挿通され、ピンチの間隔を保持するスペーサとを有して構成している。
【考案の効果】
【０００６】  本考案の物干し具は、フレームの両端を連結チューブで取外し自在に接続しているので、連結チューブからフレームの端を取外すことによってフレームに可動可能に挿通されている破損、または劣化した部品を取り出し新しいピンチ、スペーサ、吊下げワイヤーを交換することができる。
従って、使用に耐える部分を残しながら廃棄せざるを得なかった物干し具が長期にわたって使用できるとともに全部を破棄する場合も容易に解体できるので分別収集が簡単でリサイクルしやすい。【０００７】  スペーサがプラスチックチュウブである場合、スペーサの長さを自在に変え、ピンチ間の間隔を適当に変えることができる。
また、スペーサが容易に着色でき、種々な色とすれば室内用として美的な物干し具が得られる。【０００８】  平板状リングが、ボールチェーンよりなる吊下げワイヤーに係止されて移動しないので壁面に吊下をした時の、ずれた位置でもフレームは水平に保たれる。【０００９】  連結チューブを挟んでストッパーをフレームに取付けたことで部品の交換のために連結チューブからフレームを外した時、ピンチやスペーサがフレームから脱することを防止できる。
【考案を実施するための最良の形態】
【００１０】  以下、本考案を図示例に基づいて説明する。
図１ないし図５は本考案の物干し具１の一実施例を示したもので、２は１本の金属線材を湾曲加工して楕円状に形成したフレームであり、このフレーム２に両摘み部に穿設された貫通孔を通して吊下される多数のピンチ３と、これらのピンチ３との間隔を保持するためのフレーム２の湾曲形状に追従するプラスチックチューブからなるスペーサ４、吊下げフック５の下端部に回動自在に設けられた平板状のリング５ａ、このリング５ａの中を通して摺動自在に設けられた複数、例えば２本のボールチェーンからなる吊り下げワイヤー６の両端部が、それぞれ挿通して配置される。このフレーム両端２ａ、２ｂは、取外し自在に連結チューブ７で接続される。【００１１】また、このフレーム両端２ａ、２ｂには連結チューブ７をはずしてピンチ３やスペーサなどの部品交換を行う際、可動自在に配置された部品が滑り落ちるのを防ぐため、ストッパー８をフレームに嵌着設けるとよい。ストッパー８は例えば５ｍｍ程度のシリコンチューブとされる。【００１２】  上記構成の物干し具は、フレーム両端２ａ、２ｂが反発して連結チューブ７内にとどまっているので、フレーム両端２ａ、２ｂを平行につき合わせてから連結チューブ７より抜き取り、滑り止めのストッパー８をはずし、可動自在に配置されている劣化した部品を取り出し新しい部品と交換することができる。【００１３】  図１に示すように、竿に掛けてフレーム２を水平にし、通常の状態で洗濯物を吊下して使用できる。【００１４】  図２に示すように、壁面に吊下する場合は、フック５を掛けてからフレーム２の横端部を壁面に水平に当てて使用する。
フレーム２の横端部にはプラスチックチューブからなるスペーサ４が位置し、壁面の板やガラスなどに当てると滑り止めの役目をし、さらに、吊下した洗濯物の重みで平板状リング５ａの角とボールチェーンからなる吊下げワイヤー６のつなぎ目が、図４に示すように係止されフレーム２は水平を保持することができる。
このように、吊下げワイヤー６をボールチェーンとすれば、摺動性があるためリング５ａを迅速に移動できるとともに、任意の位置にフレームを係止できる。【００１５】  図３に示すように、フック５を掛けたままフレーム２を倒して垂直に吊下し、移動、収納をする。場所によっては、そのまま洗濯物を吊下して使用することができる。【００１６】  図４に示すように、フック５の吊下げワイヤー６における位置変換がスムーズに行えるようリング５ａの中を通した複数の吊下げワイヤー６に、摺動性があるボールチェーンを使用し、図５に示すように、末端にカップリング６ａを係着してフレーム２に挿通し配置している。【００１７】  また、吊下げワイヤー６はボールチェーンの他、末端形状を利用して、そのままフレーム２に挿通できる形状の鎖などでも良く、その場合、摺動性に優れて平板状リング５ａの角とかみ合って係止の容易なものが望ましい。【００１８】  なお、フレーム２は多角形状、円状、楕円状、いずれでもよいが楕円状とすればピンチ３やスペーサ４の挿入が円滑に行える。【００１９】  また、図６に示すようにコイル状金属バネ３ａで構成したピンチ３に、鎖３ｂを係着し、この鎖３ｂをフレーム２に挿通して配置することができる。鎖３ｂを係着したピンチ３はフレーム２に対して揺動自在となり、洗濯物が挟持しやすくなる。
【図面の簡単な説明】
【００２０】
【図１】本考案の第１実施例に係る物干し具の斜視図である。
【図２】本考案の第１実施例の使用状態を示す側面図である。
【図３】本考案の第１実施例の使用状態を示す斜視図である。
【図４】本考案の第１実施例の吊下げ具説明図である。
【図５】本考案の第１実施例の組立部分図である。
【図６】本考案の第２実施例におけるピンチの側面図である。
【符号の説明】
【００２１】１：物干し具                      ２：フレーム
２ａ、２ｂ：フレームの端          ３：ピンチ
３ａ：コイル状金属バネ            ３ｂ：鎖
４：スペーサ                      ５：フック
５ａ：リング                      ６：吊下げワイヤー
６ａ：カップリング                ７：連結チューブ
８：ストッパー
【図１】
0003129719.tif 000003
【図２】
0003129719.tif 000004
【図３】
0003129719.tif 000005
【図４】
0003129719.tif 000006
【図５】
0003129719.tif 000007
【図６】
0003129719.tif 000008
【手続補正書】
【提出日】平成18年11月28日(2006.11.28)
【手続補正１】
【補正対象書類名】実用新案登録請求の範囲
【補正対象項目名】請求項４
【補正方法】変更
【補正の内容】
【請求項４】
連結チューブを挟んでストッパーをフレームに取付けたことを特徴とする請求項１〜３のいずれか１項に記載の物干し具。